(57)【特許請求の範囲】
【請求項１】
室内の間仕切り壁の上側が天井仕上げ部材（３０）表面まで、下側が床仕上げ材（２０）表面まで開口された通用開口部に直付けされて、複数枚の引き戸（１０）を装着する枠体を構成する引き戸ユニットであって、
前記枠体（３）は、薄肉軽量構造により形成され、前記通用開口部の床仕上げ材（２０）に設けられた取付け用長孔（２１）に主要部を埋設して、床上面と略水平面内に直付けされ、複数枚の引き戸（１０）の下戸車（１１ａ）を案内する複数条のレールを備えた下レール枠（１）と、
前記通用開口部の天井仕上げ部材（３０）に直付けされ、前記引き戸（１０）の上端部を案内する複数条のレールを備えた上レール枠（２）と、
前記通用開口部の両側面の壁仕上げ材（５１）又は竪軸（７０、７１、又は６０、６１）に直付けされ、前記引き戸（１０）の各前後端面が当接する複数の引き戸当接面を備えた竪枠（３）とからなり、
前記下レール枠（１）は、
長手方向に沿って凹溝状に形成された前記複数条のレール（１ｃ）と、
該レール（１ｃ）の左右両端外側に沿って水平に延設され、前記取付け用長孔（２１）が形成された床仕上げ部材（２０）上面に当接し、左右先端上面角部が滑らかに形成された薄板状の床面当設部（１ａ）と、
該両床面当設部（１ａ）の内側端にそれぞれレール（１ｃ）に沿って下方向に突設され、前記取付け用長孔（２１）内に埋設される薄板状の埋設部（１ｂ）と、
前記複数条のレール（１ｃ）間部にレール（１ｃ）に沿って凹型開口部（１ｈ）が形成され、その底面が前記取付け用長孔（２１）内の床下地材（２２）に複数の固定部材を介して固定される複数条の固定部（１ｄ）と、
前記開口部（１ｈ）の上端部両側に設けられた固定部側係合部（１ｅ）に係合するキャップ側係合部（４ｂ）が両端に突設され、開口部（１ｈ）を覆うように係脱可能に装着された薄板状のキャップ（４）とからなり、
前記上レール枠（２）は、
上面が前記天井仕上げ部材（３０）に長手方向に沿って複数の固定部材を介して固定される固定部（２ｄ、２ｅ）と、
該固定部（２ｄ、２ｅ）の下方平行に配置され前記レールの上底を形成する薄板状の基板（２ａ）と、
前記固定部材による上レール枠（２）の取付け又は取外しのために前記基板（２ａ）に設けられたアクセス孔（２ｋ）と、
前記基板（２ａ）の左右両端に沿って下方向に突設され、その内面が前記レール面となる薄板状の端部レール板（２ｂ）と、
該両端部レール板（２ｂ）の内側に沿って下方向に突設され、逆凹形溝状の前記複数条のレールを形成する複数枚の中間レール板（２ｃ）とからなることを特徴とする室内引き戸ユニット。
【請求項２】
前記竪枠（３）は、
前記通用開口部側面の壁仕上げ材（５１）又は竪軸（７０、７１、又は６０、６１）に複数の固定部材を介して固定される固定部（３ｂ１、３ｃ）と、
縦方向に沿って前記固定部（３ｂ１、３ｃ）と平行に閉鎖断面状に形成された前記複数の引き戸当接面（３ａ）と、
該引き戸当接面（３ａ）の左右両端に引き戸側面外に突出して形成され、上下端の左右内側にそれぞれ前記上下レール枠（２、１）の両端部が挟設される凸端部（３ｂ）と、
前記固定部（３ｂ１、３ｃ）の両端部内側に形成され、前記通用開口部側面の壁材（５０）が挟設される凹部（３ｈ）と、
前記複数の引き戸当接面（３ａ）の間に縦方向に沿って開口され、前記固定部材を介して固定される固定部（３ｃ）を底面とする複数の凹型開口部（３ｇ）とからなることを特徴とする請求項１に記載の室内引き戸ユニット。
【請求項３】
前記竪枠（３ａ）の凹型開口部（３ｇ）の上端部には、該上端部両側に固定部側係合部（３ｄ）が設けられ、該固定部側係合部（３ｄ）に係合するキャップ側係合部（４ｂ）が両端に突設された薄板状のキャップ（４）が、開口部（３ｇ）を覆うように係脱可能に装着されていることを特徴とする請求項２に記載の室内引き戸ユニット。
【請求項４】
前記下レール枠（１）及び竪枠（３）の凹型開口部（１ｈ、３ｇ）の底面となる固定部（１ｄ、３ｃ）の中央上面には、前記固定部（１ｄ、３ｃ）が撓み易くなるように凹溝（１ｇ、３ｆ）が形成されていることを特徴とする請求項２又は請求項３に記載の室内引き戸ユニット。
【請求項５】
請求項１乃至請求項４のいずれか１項に記載の室内引き戸ユニットに適用される引き戸（１０）であって、
薄肉軽量構造により形成され引き戸（１０）の周囲枠を構成する扉框体の前後両端の扉縦框（１３）は、
左右対称閉断面形状に形成された端部の前端面（１３ａ）と、
前記端部の後部に連設して左右面外に曲折され左右対称断面形状に形成された基部（１３ｃ）と、
該基部（１３ｃ）から伸延して前記前端面（１３ａ）に接続され左右対称断面形状に形成された補強部材（１３ｅ）と、
前記前端面（１３ａ）に固着された弾性物質からなるシール部材（１３ｄ）とを備えた同一形状に形成され、
前記シール部材（１３ｄ）は、前記扉縦框（１３）の前端面（１３ａ）に接着固定された直線部（１３ｄ１）と該直線部（１３ｄ１）の一端部又は両端部に連続する円弧部（１３ｄ２）とから構成されて、全体として半円弧断面形状又は半円筒形状に形成されていることを特徴とする引き戸（１０）。
【請求項６】
請求項１乃至請求項４のいずれか１項に記載の室内引き戸ユニットに適用される引き戸（１０）であって、
薄肉軽量構造により形成され引き戸（１０）の周囲枠を構成する扉框体の前後両端の扉縦框（１３）は、
左右対称閉断面形状に形成された端部の前端面（１３ａ）と、
前記端部の後部に連設して左右面外に曲折され左右対称断面形状に形成された基部と、
前記前端面（１３ａ）に固着された弾性物質からなるシール部材（１３ｄ）とを備えた同一形状に形成され、
前記シール部材（１３ｄ）は、前記扉縦框の前端面に接着固定された直線部（１３ｄ１）と該直線部（１３ｄ１）の一端部又は両端部に連続する円弧部（１３ｄ２）から構成されて、全体として半円弧断面形状又は半円筒形状に形成されていることを特徴とする引き戸（１０）。
【請求項７】
扉下框（１４）の前後両端部に設けられ、回転軸挿通孔の内面に薄肉円筒状に形成されたシリコン系樹脂又は二硫化モリブデンの潤滑剤を含浸したオイレスメタルの潤滑部材（１１ｂ）が装着され、前記下レール枠（１）のレール（１ｃ）上を走行する下戸車（１１ａ）と、
倒立した略コ形形状の天井面（１１ｃ１）が前後方向に傾斜して形成され、一方の端に回転軸（１１ｄ）を介して前記下戸車（１１ａ）を挟設した薄肉構造の基体（１１ｃ）と、
該基体（１１ｃ）の他方の端に形成され、前記下戸車（１１ａ）と反対方向から略水平に扉下框（１４）に設けられた調整ネジ（１６）が螺合する調整ネジ孔（１１ｅ）とからなる下戸車ユニット（１１）を備えたことを特徴とする請求項５又は請求項６に記載の引き戸（１０）。
【請求項８】
扉上框（１５）の前後両端に設けられ、回転軸挿通孔の内面に薄肉円筒状に形成されたシリコン系樹脂又は二硫化モリブデンの潤滑剤を含浸したオイレスメタルの潤滑部材（１２ｂ）が装着され、前記上レール枠（２）のレール側面上を走行する上戸車（１２ａ）と、
回転軸（１２ｆ）を介して前記上戸車（１２ａ）を左右水平に少なくとも１個ずつ配置して支持する基板（１２ｃ）と、
該基板（１２ｃ）の中央の片端に突設され取付け孔が形成された第１取付け部（１２ｄ）と、
前記基板（１２ｃ）の中央の他端に下方略直角に曲設され取付け孔が形成された第２取付け部（１２ｅ）とからなる上戸車ユニット（１２）を備えたことを特徴とする請求項５又は請求項６に記載の引き戸（１０）。
【発明の詳細な説明】
【０００１】
【発明の属する技術分野】
本発明は、室内の間仕切り壁の通用開口部に複数枚の引き戸を装着する室内引き戸ユニット及び引き戸に関し、特に、引き戸を装着する薄肉軽量構造の上下レール枠及び竪枠を前記開口部の天井、床及び壁の仕上げ材に直接固設して、木枠などを用いずに簡単に取付けられる室内引き戸ユニット及びこれに適用される好適な引き戸に関する。
【０００２】
【従来の技術】
従来の鉄筋コンクリート製マンションやホテル、あるいは一般住宅などの居室においては、室内の間仕切り壁の通用開口部に取付けられる引き戸は、ほとんどが木製の枠を介して、一部浴室など水回りの間仕切りを除き、木製の上下レール枠及び竪枠又は柱に囲まれた木枠内に装着されている。
また、従来の引き戸は、下又は上戸車がボールベアリングを装着しているか、又はボールベアリングを装着せず直接回転軸に挿通された金属又は硬質プラスチック製などの戸車が用いられている。なお、上戸車が用いられているケースは少ない。
さらに、アルミ製などの引き戸の周囲枠を構成する扉框体の前後両端の扉縦框は、左右非対称形状に形成されている。
【０００３】
【特許文献１】
特開平１０−１６９３２５号公報
【０００４】
【発明が解決しようとする課題】
このような従来の技術においては、前記木枠に日常掃除の時に掃除機や、その他移動・運搬時の家具類などをぶつけて木枠を傷付け易かった。
また、前記木枠は、経年劣化により塗装が剥がれたり、木枠固定用の釘が錆びたり、特に洗面所やトイレなど水回りの場所では腐食し易く、補修が面倒であった。
また、前記木枠は、デザインの自由度が取り難く単純な平板構造にほとんど限定され、さらに、木枠固定用の釘が露出するなど美観的にも劣っていた。
【０００５】
また、特に下レール枠は、床仕上げ材上に突出しており、歩行時に蹴躓いて負傷するなどの危険性があった。
さらに、釘などによる新規木枠取付けや、床材又は天井材などリフォーム時などの木枠は、床又は天井の仕上げ材取外し及び取付けの施工後に、現場においてそれらに合せて加工し、取外し又は取付けを行うなど施工が手間取る等々の欠点があった。
【０００６】
また、従来の下又は上戸車は、ボールベアリンを装着しているものは重厚で高価であり、一方、ボールベアリンを装着せずに直接回転軸に挿通された戸車は、回転軸又は回転軸挿通孔部が磨耗し易い上、回転がスムースでなく戸車を引きずり偏摩耗し易いなどの問題点があった。
特に、アルミ製の引き戸用に設けられる上戸車ユニットは、取付け個所が引き戸の上面のみに限定され、木製の引き戸用には一面のみの固定では取付け強度不足のため不適当であるなどの問題点があった。
【０００７】
また、従来のアルミ製などの引き戸の周囲枠を構成する扉框体の前後両端の扉縦框は、左右非対称形状に形成されているため、引き戸の裏表の配置方向が限定される制約があった。
【０００８】
本発明はこれらの問題点を解決するためになされたもので、その目的は、室内間仕切壁の通用開口部に木枠を用いず直付けされて、外観デザインの自由度があり、美観、歩行時の安全性及び耐久性に優れ、新規又はリフォーム時の係脱施工が容易な室内引き戸ユニット、及びこれに適用され、軽快で低コストの戸車を有し左右配置自在な引き戸を提供することにある。
【０００９】
【課題を解決するための手段】
前記問題を解決するため、本発明の室内引き戸ユニットは、室内の間仕切り壁の上側が天井仕上げ部材表面まで、下側が床仕上げ材表面まで開口された通用開口部に直付けされて、複数枚の引き戸を装着する枠体を構成する引き戸ユニットであって、前記枠体は、薄肉軽量構造により形成され、前記通用開口部の床仕上げ材に設けられた取付け用長孔に主要部を埋設して、床上面と略水平面内に直付けされ、複数枚の引き戸の下戸車を案内する複数条のレールを備えた下レール枠と、前記通用開口部の天井仕上げ部材に直付けされ、前記引き戸の上端部を案内する複数条のレールを備えた上レール枠と、前記通用開口部の両側面の壁仕上げ材又は竪軸に直付けされ、前記引き戸の各前後端面が当接する複数の引き戸当接面を備えた竪枠とからなり、前記下レール枠は、長手方向に沿って凹溝状に形成された前記複数条のレールと、該レールの左右両端外側に沿って水平に延設され、前記取付け用長孔が形成された床仕上げ部材上面に当接し、左右先端上面角部が滑らかに形成された薄板状の床面当設部と、該両床面当設部の内側端にそれぞれレールに沿って下方向に突設され、前記取付け用長孔内に埋設される薄板状の埋設部と、前記複数条のレール間部にレールに沿って凹型開口部が形成され、その底面が前記取付け用長孔内の床下地材に複数の固定部材を介して固定される複数条の固定部と、前記開口部の上端部両側に設けられた固定部側係合部に係合するキャップ側係合部が両端に突設され、開口部を覆うように係脱可能に装着された薄板状のキャップとからなり、前記上レール枠は、上面が前記天井仕上げ部材に長手方向に沿って複数の固定部材を介して固定される固定部と、該固定部の下方平行に配置され前記レールの上底を形成する薄板状の基板と、前記固定部材による上レール枠の取付け又は取外しのために前記基板に設けられたアクセス孔と、前記基板の左右両端に沿って下方向に突設され、その内面が前記レール面となる薄板状の端部レール板と、該両端部レール板の内側に沿って下方向に突設され、逆凹形溝状の前記複数条のレールを形成する複数枚の中間レール板とからなることを特徴とする。
【００１２】
また、前記竪枠は、前記通用開口部側面の壁仕上げ材又は竪軸に複数の固定部材を介して固定される固定部と、縦方向に沿って前記固定部と平行に閉鎖断面状に形成された前記複数の引き戸当接面と、該引き戸当接面の左右両端に引き戸側面外に突出して形成され、上下端の左右内側にそれぞれ前記上下レール枠の両端部が挟設される凸端部と、前記固定部の両端部内側に形成され、前記通用開口部側面の壁材が挟設される凹部と、前記複数の引き戸当接面の間に縦方向に沿って開口され、前記固定部材を介して固定される固定部を底面とする複数の凹型開口部とからなることを特徴とする。
【００１３】
また、前記竪枠の凹型開口部の上端部には、該上端部両側に固定部側係合部が設けられ、該固定部側係合部に係合するキャップ側係合部が両端に突設された薄板状のキャップが、開口部を覆うように係脱可能に装着されていることを特徴とする。
【００１４】
さらに、前記下レール枠及び竪枠の凹型開口部の底面となる固定部の中央上面には、前記固定部が撓み易くなるように凹溝が形成されていることを特徴とする。
【００１５】
また、前記室内引き戸ユニットに適用される本発明の引き戸は、薄肉軽量構造により形成され引き戸の周囲枠を構成する扉框体の前後両端の扉縦框は、左右対称閉断面形状に形成された端部の前端面と、前記端部の後部に連設して左右面外に曲折され左右対称断面形状に形成された基部と、前記前端面に固着された弾性物質からなるシール部材とを備えた同一形状に形成され、前記シール部材は、前記扉縦框の前端面に接着固定された直線部と該直線部の一端部又は両端部に連続する円弧部から構成されて、全体として半円弧断面形状又は半円筒形状に形成されていることを特徴とする。
【００１６】
また、前記室内引き戸ユニットに適用される本発明の引き戸は、薄肉軽量構造により形成され引き戸の周囲枠を構成する扉框体の前後両端の扉縦框は、左右対称閉断面形状に形成された端部の前端面と、前記端部の後部に連設して左右面外に曲折され左右対称断面形状に形成された基部と、前記前端面に固着された弾性物質からなるシール部材とを備えた同一形状に形成され、前記シール部材は、前記扉縦框の前端面に接着固定された直線部と該直線部の一端部又は両端部に連続する円弧部から構成されて、全体として半円弧断面形状又は半円筒形状に形成されていることを特徴とする。
【００１７】
また、前記室内引き戸ユニットに適用される引き戸であって、扉下框の前後両端に設けられ、回転軸挿通孔の内面に薄肉円筒状に形成されたシリコン系樹脂又は二硫化モリブデンなどの潤滑剤を含浸したオイレスメタル等の潤滑部材が装着され、前記下レール枠のレール上を走行する下戸車と、倒立した略コ形形状の天井面が前後方向に傾斜して形成され一方の端に回転軸を介して前記下戸車を挟設した薄肉構造の基体と、基体の他方の端に形成され、前記下戸車と反対方向から略水平に扉下框に設けられた調整ネジが螺合する調整ネジ孔とからなる下戸車ユニットを備えたことを特徴とする。
【００１８】
さらに、前記室内引き戸ユニットに適用される引き戸であって、扉上框の前後両端に設けられ、回転軸挿通孔の内面に薄肉円筒状に形成されたシリコン系樹脂又は二硫化モリブデンなどの潤滑剤を含浸したオイレスメタル等の潤滑部材が装着され、前記上レール枠のレール側面上を走行する上戸車と、回転軸を介して前記上戸車を左右水平に少なくとも１個ずつ配置して支持する基板と、基板の中央の片端に突設され取付け孔が形成された第１取付け部と、基板の中央の他端に下方略直角に曲設され取付け孔が形成された第２取付け部とからなる上戸車ユニットを備えたことを特徴とする。
【００１９】
【発明の実施の形態】
以下、本発明に係る好ましい一実施の形態について、添付図面を参照し詳細に説明する。
図１は、本発明に係る一実施の形態による室内引き戸ユニットの縦断面図で、図３は、図１のＡ−Ａ矢視、横断面図である。
本発明の一実施の形態による室内引き戸ユニットは、例えばマンションなどの室内間仕切り壁の通用開口部が天井仕上げ材３０面までぎりぎり一杯に開口され、小横木軸８１、８２及び大横木軸８３などの天井木軸８０、小竪木軸７０及び大竪木軸７１などの竪軸等からなる木軸下地に天井仕上げ材３０、壁材５０及び壁仕上げ材５１が外装された構造の場合に適用されたものである。
【００２０】
図２は、本発明に係る他の実施の形態による室内引き戸ユニットの縦断面図で、図４は、図２のＢ−Ｂ矢視、横断面図である。
本発明に係る他の実施の形態による室内引き戸ユニットは、例えばマンションなどの室内間仕切り壁の通用開口部が天井仕上げ材３０面までぎりぎり一杯に開口され、天井スラブ１００に固定部材４６により固設された支持部材４５に連結された複数のシングル及びダブルクリップ４３及び４４に支持されたシングル及びダブル野縁４１及び４２などの野縁４０、小角スタッド６０、大角スタッド６１などの竪軸等からなる軽鉄下地に天井仕上げ材３０、壁材５０及び壁仕上げ材５１が外装された構造の場合に適用されたものである。
【００２１】
本発明の室内引き戸ユニットは、前記間仕切り壁の通用開口部に木枠を用いず直付けされて、複数枚（以下、図示例では３枚）の引き戸１０を装着する枠体を構成する引き戸ユニットであって、前記枠体は、例えば、主要部肉厚が１．２〜２ｍｍ程度のアルミ合金製薄肉軽量構造により形成され、前記開口部の床仕上げ材２０に設けられた取付け用長孔２１に主要部を埋設して、床仕上げ材２０の上面と略水平面内に直付けされ、複数枚の引き戸１０の下戸車１１を案内する複数条のレール１ｃを備えた下レール枠１と、前記通用開口部の天井仕上げ部材３０に直付けされ、引き戸１０の上端部の上戸車１２を案内する複数条のレールを備えた上レール枠２と、前記通用開口部の両側面の壁仕上げ材５１、又は大、小竪木軸７１、７０又は大、小角スタッド６０、６１又は中角スタッド６２及びスタッド６３などの竪軸に直付けされ、引き戸１０の各前後端面が当接する複数の引き戸当接面３ａを備えた竪枠３とからなる。
前記枠体は、アルミ合金、その他の金属又は高分子材量などの建築材料から構成してもよいが、生産性、組付け性及びコスト的観点からは、一体又は分割型成形品とし、少なくとも下レール枠１、上レール枠２及び竪枠３は、それぞれ一体型に形成することが望ましい。
なお、前記通用開口部に必要に応じて、従来のような木枠を介して前記枠体を取付けできることは言うまでもない。
【００２２】
下レール枠１は、例えば図１、図２及び図６に示すように、長手方向に沿って略Ｖ形などの凹溝状に形成された複数条のレール１ｃ、１ｃ、１ｃと、レール１ｃの左右両端外側に沿って水平に延設され、取付け用長孔２１の床仕上げ部材２０上面に当接し、左右先端上面角部が滑らかに、例えば、先端方向に傾斜したテーパ面１ａ１が形成された薄板状の床面当設部１ａ、１ａと、床面当設部１ａ、１ａの内側端にそれぞれレール１ｃに沿って下方向に突設され、取付け用長孔２１内に埋設される薄板状の埋設部１ｂ、１ｂと、複数条のレール１ｃ、１ｃ、１ｃ間部にレール１ｃに沿って凹型開口部１ｈ、１ｈ形成され、その底面が取付け用長孔２１内の床下地材２２に固定される複数条の固定部１ｄ、１ｄとからなっている。
このような構成により、下枠レール１は、床仕上げ部材２０上面に、先端方向に傾斜したテーパ面１ａ１が形成された、例えば肉厚１．２ｍｍ程度の薄板状の床面当設部１ａがあるのみで、これ以上の突出部はないため、歩行時に躓くような危険性がない上、美観上も優れている。
【００２３】
上レール枠２は、例えば図１、図２及び図５に示すように、上面が天井仕上げ材３０に長手方向に沿って固定される固定部２ｄ、２ｅと、固定部２ｄ、２ｅの下方平行に配置され前記レールの上底を形成する薄板状の基板２ａと、基板２ａの左右両端に沿って下方向に突設され、その内面が前記レール面となる薄板状の端部レール板２ｂ、２ｂと、両端部レール板２ｂ、２ｂの内側に沿って下方向に突設され、逆凹形溝状の前記複数条のレールを形成する複数枚の中間レール板２ｃ、２ｃとからなっている。
【００２４】
また、図５に示すように、固定部２ｅには、図示しない固定ネジなどの固定部材を挿通する複数の取付け孔２ｈ、２ｈ、２ｈが設けられている。そして、基板２ａには、取付け孔２ｈ、２ｈ、２ｈと略同軸状に対向して前記固定部材による上レール枠２の取付け又は取外し時のアクセス用孔２ｋ、２ｋ、２ｋが複数設けられ、各アクセス用孔２ｋには目隠し部材５が嵌め込まれている。
【００２５】
本発明の一実施の形態による竪枠３は、例えば図３、図４及び図７に示すように、前記通用開口部側面の壁仕上げ材５１又は竪軸７０、７１、又は６０、６１に固定される固定部３ｂ１、３ｃと、縦方向に沿って固定部３ｂ１、３ｃと平行に閉鎖断面状に形成された引き戸当接面３ａ、３ａ、３ａと、引き戸当接面３ａ、３ａ、３ａの左右両端に引き戸側面外に突出して曲折形成され、上下端の左右内側面３ｂ２、３ｂ２にそれぞれ前記上下レール枠２、１の両端部が挟設される凸端部３ｂ、３ｂと、固定部３ｂ１、３ｃの両端部内側に形成され、前記通用開口部側面の壁材５０が挟設される凹部３ｈ、３ｂ２と、複数の引き戸当接面３ａ、３ａ、３ａの間に縦方向に沿って開口された複数の凹型開口部３ｇ、３ｇとからなっている。
【００２６】
また、本発明の他の実施の形態による竪枠３は、図８に示すように、凸端部３ｂ、３ｂが中実状に形成され、その他の構成は前記図７と同様に構成されている。
【００２７】
また、図５に示すように、両端部レール板２ｂ、２ｂ及び中間レール板２ｃ、２ｃにより形成される逆凹型レール溝の両端部内側上端に配置され、左右の縦枠３の引き戸当接面３ａ、３ａ、３ａの上端部側に戸当り部材６、６、６が取付けられる。
【００２８】
また、下レール枠１の固定部１ｄの凹型開口部１ｈ、１ｈ及び竪枠３の凹型開口部３ｇ、３ｇの上端部には、それぞれ凹型開口部１ｈ及び３ｇを覆う、例えば肉厚１．２ｍｍ程度の薄板状のキャップ４を装着する固定部側係合部１ｅ、１ｅ及び３ｄ、３ｄを備え、図１０に示すように、キャップ基板４ａの両端に突設され、固定部側係合部１ｅ、１ｅ及び３ｄ、３ｄに係合するキャップ側係合部４ｂ、４ｂを備えたキャップ４が取付けられている。前記凹型開口部１ｈ及び３ｇは、固定部１ｄ及び３ｃの固定用孔１ｆ及び３ｅに図示しない固定ネジなどの固定部材を取付け又は取外しする時のアクセス用開口部である。
【００２９】
さらに、下レール枠１及び竪枠３の固定部１ｄ及び３ｃの中央上面には、図６及び図８に示すように、例えば略Ｖ形などの凹溝１ｇ及び３ｆが形成されている。これは、前記凹型開口部１ｈ及び３ｇの上端にキャップ４が係脱する際にキャップ側係合部４ｂが両端の固定部側係合部１ｅ、１ｅ及び３ｄ、３ｄを乗り越えて係脱するため、両端の固定部側係合部１ｅ、１ｅ及び３ｄ、３ｄ間が広がるように固定部１ｄ及び３ｃが撓み易くするためである。
【００３０】
次に、前記室内引き戸ユニットに適用される本発明の一実施の形態による引き戸１０について、図１１乃至図１３に基づき詳細に説明する。
図１１（ａ）は、アルミ合金、その他の金属又は高分子材量などの薄肉軽量構造により形成され引き戸１０の周囲枠を構成する扉框体の前後両端の扉縦框１３の第１の実施例である。図１１（ａ）に示すように、前端面１３ａに弾性物質からなるシール部材１３ｄを備え、左右対称閉断面形状に形成された端部１３ｂと、端部１３ｂの後部に連設して左右面外に曲折され左右対称断面形状に形成された基部１３ｃと、基部１３ｃの前面側から伸延して前端面１３ａに接続される補強部材１３ｅから構成されている。
【００３１】
シール部材１３ｄは引き戸の開閉に際し、引き戸１０と竪枠３の引き戸当接面３ａの衝突を緩衝する部材であり、ゴム等の弾性力のある材料で構成される。
シール部材１３ｄの断面形状は、直線部１３ｄ１と、その両端で直線部１３ｄ１に接続される円弧部１３ｄ２からなり、全体として中空の半円状の断面形状をなし、直線部１３ｄ１で前端面１３ａに固定される。
また、補強部材１３ｅは、引き戸の開閉に際し、引き戸１０と竪枠３の引き戸当接面３ａの衝突で扉縦框１３が変形するのを防ぐ部材である。
【００３２】
図１１（ｂ）は、扉縦框１３の第２の実施例である。図１１（ａ）に示した第１の実施例と比較して、シール部材１３ｄの断面形状が異なるのと、補強部材が削除されている点が異なっている。本実施例におけるシール部材１３ｄの断面形状は、直線部１３ｄ１と、その一端で直線部と接続された半円状、あるいは草刈鎌状の円弧部１３ｄ２からなり、直線部１３ｄ１で前端面１３ａに固定される。
【００３３】
なお、扉縦框１３の第１及び第２の実施例では、それぞれ、中空の半円状のシール部材と補助部材を有する場合、及び、草刈鎌状のシール部材と補助部材を有さない場合を示したが、両実施例におけるそれぞれのシール部材の形状と補助部材とをどのように組合わせても、本発明の技術的範囲に属することは言うまでもない。
このように本発明の引き戸１０の扉縦框１３は、左右対称形状に形成されているので、引き戸１０を裏表いずれの向きにも自在に配置することができるという長所がある。
【００３４】
図１２の（ａ）は本発明の一実施の形態による引き戸の下戸車ユニットの側面図を、（ｂ）はそのＥ−Ｅ矢視図を示す。
図１、図２及び図１２に示すように、引き戸１０の扉下框１４の前後両端に設けられた下戸車ユニット１１は、回転軸挿通孔の内面にシリコン系樹脂又は二硫化モリブデンなどの潤滑剤を含浸したオイレスメタル等の潤滑部材１１ｂが装着され、前記下レール枠１のレール１ｃ上を走行する下戸車１１ａと、倒立した略コ形形状の天井面１１ｃ１が前後方向に傾斜して形成され一方の端に回転軸１１ｄを介して下戸車１１ａを挟設した薄肉構造の基体１１ｃと、基体１１ｃの他方の端に形成され、下戸車１１ａと反対方向から略水平に扉下框１４に設けられた調整ネジ１６が螺合する調整ネジ孔１１ｅとから構成されている。
調整ネジ１６を締め込むか緩めることにより、基体１１ｃの傾斜天井面１１ｃ１が扉下框１４の図示しないガイド部に当接ガイドされて基体１１ｃが前後移動するのに伴い基体１１ｃの一端に取付けられた戸車１１ａが扉下框１４に対して上下するように調整される。
【００３５】
なお、下戸車１１ａの外形先端部は、図１、図２及び図１２の（ｂ）に示すように、下レール枠１のレール１ｃの最も単純な形状でコスト的にも有利な略Ｖ形状に合せて略Ｖ形に形成されている。
しかし、レール１ｃの形状を略Ｕ形、又は逆に略∧形、凸形形状にし、それに合せて下戸車１１ａの外形先端部を略Ｕ形、又はＷ形、逆凹形など種々の形状に形成することができる。
【００３６】
図１３の（ａ）は本発明の一実施の形態による引き戸の上戸車ユニットの正面図を、（ｂ）はそのＦ−Ｆ矢視図を、（ｃ）は（ａ）のＧ−Ｇ矢視図を示す。
図１、図２及び図１３に示すように、引き戸１０の扉上框１５の前後両端に設けられた上戸車ユニット１２は、回転軸挿通孔の内面に薄肉円筒状に形成されたシリコン系樹脂又は二硫化モリブデンなどの潤滑剤を含浸したオイレスメタル等の潤滑部材１２ｂが装着され、前記上レール枠２の端部及び中間レール板２ｂ及び２ｃの側面レール上を走行する上戸車１２ａと、回転軸１２ｆを介して上戸車１２ａを左右水平に少なくとも１個ずつ配置して支持する基板１２ｃと、基板１２ｃの中央の片端に突設され取付け孔１２ｇが形成された第１取付け部１２ｄと、基板１２ｃの中央の他端に下方略直角に曲設され取付け孔１２ｈが形成された第２取付け部１２ｅとから構成されている。
このように上戸車ユニット１２の第１及び第２取付け部１２ｄ及び１２ｅを、引き戸１０の前後両端角部の上面及び前後面の２箇所ずつに図示しないネジなどの固定部材により固定することができるので、引き戸１０が木製の場合にも上戸車ユニット１２を強固に取付けることができる。
なお、上戸車１２ａの外形先端部は、図１、図２及び図１３の（ａ）及び（ｃ）に示すように、転動面（外周面）の片当りを防止するため略Ｖ形に形成されているが、略円弧形、多角形状又は平坦形状に形成してもよい。
【００３７】
また、下戸車１１ａ及び上戸車１２ａには、シリコン系樹脂又はオイレスメタル等の潤滑部材１２ｂが装着されているので、給油不要などメンテナンスフリーで、長寿命かつ軽快な引き戸の走行機構が実現でき、コスト的にも従来のボーリングベアリング装着型戸車式引き戸より有利となる。
【００３８】
【発明の効果】
以上、詳細に説明した本発明による室内引き戸ユニットは、従来のような前記木枠を一切用いず、天井仕上げ材面までぎりぎり一杯に開口された間仕切り壁の通用開口部周辺に直接取付けられ、複数枚の引き戸を装着する枠体が、事前に工場においてアルミ合金などの薄肉軽量構造により形成されているので、下記の通り従来にない優れた効果を奏する。
【００３９】
（１）床又は天井工事後に、複数枚の引き戸を装着する枠体の現場での係脱施工が容易化されるため、施工時間が短縮され新規又はリフォーム施工費が割安となる。
（２）床仕上げ材上面には、肉厚１．２ｍｍ程度の薄板状の床面当設部以上の突出部はないため、歩行時に躓くような危険性がない上、美観上も優れている。
（３）薄肉軽量合金製の枠体の外観デザインの自由度があり、ネジなどの固定部材も露出せず、美観及び耐久性に優れている。
（４）従来のような突出した木枠を一切用いず、天井仕上げ材面まで一杯に開口された間仕切り壁の通用開口部周辺に薄肉軽量合金構造の枠体を直接取付けるので、特に通用開口部の高さを大きく取れ、スペースの有効利用及び美観の向上に寄与することができる。
【００４０】
また、以上、詳細に説明した本発明による引き戸は、扉縦框を左右対称形状に形成するとともに、下戸車及び上戸車を軽快なシリコン系樹脂又はオイレスメタル等の潤滑部材を挿入するなどの構成としたので、下記の通り従来にない優れた効果を奏する。
【００４１】
（１）引き戸の扉縦框を左右対称形状に形成したので、引き戸を裏表いずれの向きにも自在に配置することができる。
（２）下戸車及び上戸車の回転軸受として薄肉円筒状のシリコン系樹脂又はオイレスメタル等の潤滑部材を挿入したので、給油不要などメンテナンスフリーで、長寿命かつ軽快な引き戸の走行機構が実現でき、コスト的にも従来のボーリングベアリング装着型戸車式引き戸より有利となる。
（３）上戸車ユニットの第１及び第２取付け部を引き戸の前後両端角部の上面及び前後面の２箇所ずつに固定することができるので、引き戸がアルミ合金などの金属製又は木製のいずれの場合にも上戸車ユニットを強固に取付けることができる。
【図面の簡単な説明】
【図１】本発明に係る一実施の形態による室内引き戸ユニットの縦断面図である。
【図２】本発明に係る他の実施の形態による室内引き戸ユニットの縦断面図である。
【図３】図１のＡ−Ａ矢視、横断面図である。
【図４】図２のＢ−Ｂ矢視、横断面図である。
【図５】本発明の室内引き戸ユニットの上レール枠の断面図である。
【図６】本発明の室内引き戸ユニットの下レール枠の断面図である。
【図７】本発明に係る一実施の形態による室内引き戸ユニットの竪枠の断面図である。
【図８】本発明に係る他の実施の形態による室内引き戸ユニットの竪枠の断面図である。
【図９】図６、図７及び図８のＣ部及びＤ部の拡大図である。
【図１０】本発明の室内引き戸ユニットのキャップの断面図である。
【図１１】（ａ）は本発明に係る引き戸の扉縦框の第１の実施例の断面図である。（ｂ）は本発明に係る引き戸の扉縦框の第２の実施例の断面図である。
【図１２】（ａ）は本発明に係る一実施の形態による引き戸の下戸車ユニットの側面図で、（ｂ）は（ａ）のＥ−Ｅ矢視図である。
【図１３】（ａ）は本発明に係る一実施の形態による引き戸の下戸車ユニットの正面図、（ｂ）は（ａ）のＦ−Ｆ矢視図、（ｃ）は（ａ）のＧ−Ｇ矢視図である。
【符号の説明】
１        下レール枠
１ａ      床面当設部
１ｂ      埋設部
１ｃ      レール
１ｄ、２ｄ、２ｅ、３ｂ１、３ｃ  固定部
１ｅ、３ｄ  固定部側係合部
１ｆ、２ｈ、３ｅ、１２ｇ、１２ｈ  取付け孔
１ｇ、３ｆ  凹溝
１ｈ、３ｇ  凹型開口部
２        上レール枠
２ａ、１２ｃ  基板
２ｂ      端部レール板
２ｃ      中間レール板
２ｋ      アクセス用孔
３        竪枠
３ａ      引き戸当接部
３ｂ      凸端部
４        キャップ
４ａ      キャップ基板
４ｂ      キャップ側係合部
５        目隠し部材
６        戸当り部材
１０      引き戸
１１      下戸車ユニット
１１ａ    下戸車
１１ｂ、１２ｂ  オイレスメタル
１１ｃ    基体
１１ｄ、１２ｆ  回転軸
１１ｅ    ネジ孔
１２      上戸車ユニット
１２ａ    上戸車
１２ｄ    第１取付け部
１２ｅ    第２取付け部
１３      扉縦框
１３ａ    前端面
１３ｂ    端部
１３ｃ    基部
１３ｄ    シール部材
１３ｅ    補強部材
１４      扉下框
１５      扉上框
１６      調整ネジ
２０      床仕上げ材
２１      取付け用長孔
２２      床下地材
３０      天井仕上げ材
４０      野縁
４１      シングル野縁
４２      ダブル野縁
４３      シングルクリップ
４４      ダブルクリップ
４５      支持部材
４６      固定部材
５０      壁材
５１      壁仕上げ材
６０      小角スタッド
６１      大角スタッド
７０      小竪木軸
７１      大竪木軸
８０      天井木軸
８１、８２  小横木軸
８３      大横木軸
１００    天井スラブ
【図１】
0003742847.tif 000002
【図２】
0003742847.tif 000003
【図３】
0003742847.tif 000004
【図４】
0003742847.tif 000005
【図５】
0003742847.tif 000006
【図６】
0003742847.tif 000007
【図７】
0003742847.tif 000008
【図８】
0003742847.tif 000009
【図９】
0003742847.tif 000010
【図１０】
0003742847.tif 000011
【図１１】
0003742847.tif 000012
【図１２】
0003742847.tif 000013
【図１３】
0003742847.tif 000014